(57)【要約】【課題】 断面がループ状の弾性体からなるシール部材をドア枠などに取り付ける際に、釘、ネジ、ボルトなどで容易に取り付けることができ、かつ気密性能を低下させることのないシール部材を提供する。【解決手段】シール部材１０の断面形状を、従来のような閉じたループ状とせず、露出面側が弾性変形により容易に開くように第１湾曲部１４と第２湾曲部１６の端部１４Ａ、１６Ａ同士が分離した構造とした。【選択図】図1
2014152479.tif 000002
【特許請求の範囲】
【請求項１】
ドア及び／又はドア枠に取り付けられるシール部材であって、中空体を形成する弾性体の断面形状が、平坦部と、前記平坦部の一端から伸長する第１湾曲部と、前記平坦部の他端から伸長する第２湾曲部とを有するものとにおいて、
前記平端部以外の箇所に弾性変形することにより、開口部を提供可能とする分離された前記第１湾曲部の端部と前記第２湾曲部の端部が設けられていることを特徴とするドア及び／又はドア枠に取り付けられるシール部材。
【請求項２】
前記第１湾曲部の曲率が前記第２湾曲部の曲率より小さいことを特徴とする請求項１に記載のシール部材。
【請求項３】
前記端部同士が所定距離にわたって重なって配されていることを特徴とする請求項１又は２に記載のシール部材。
【請求項４】
前記第１湾曲部の前記端部が前記第２湾曲部の前記端部の外側に配されていることを特徴とする請求項１から３のいずれか１つに記載のシール部材。
【請求項５】
前記平坦部の外面に接着材あるいは両面テープが配された請求項１から４のいずれか１つに記載のシール部材。
【請求項６】
請求項１から５のいずれか１つに記載のシール部材が平坦な頭部を有する取付具により取り付けられたドア。
【請求項７】
請求項１から５のいずれか１つに記載のシール部材が平坦な頭部を有する取付具により取り付けられたドア枠。
【発明の詳細な説明】
【技術分野】
【０００１】
本発明は、気密用あるいは遮音用ドア及び／又はドア枠用シール部材に関し、特に開き戸又は引き戸に取り付けられ、ドアが閉められたとき圧力を受けて変形して気密や遮音効果を奏するものに関する。本発明は、かかる効果を奏するドア枠に取り付けられたシール部材を有するドア枠に関する。
【背景技術】
【０００２】
いわゆる雑居ビル火災事件以来、部屋のドアの気密性が重要視されている。ドアの気密性を高めるために、ドアとドア枠の間などに弾性部材を配してドアが閉められている状態では、この弾性部材が弾性変形してパッキンあるいはシール部材として機能し、ドア内外の気密性を高めるものが知られている。かかるシール部材は、遮音効果もあり、自己消火性を有する気密ゴムとして機能し、よって優れた性能を有する防火扉を提供するものとして近年着目されている。かかる従来の気密用、遮煙用あるいは遮音用ドア又はドア枠用シール部材として、下記の特許文献１に示すものが知られている。特許文献１に開示されたシール部材は、開きドアの場合は、三方枠の戸当たりとして、あるいは両開き式の引き戸の場合は、両引き戸の召し合わせの隙間に取り付けられる。図５は、特許文献１に開示された従来のシール部材の斜視図であり、図６は、その断面図である。図５、図６に示されるように、従来のシール部材４０は、取り付け部である平坦部４２と、平坦部４２の端部に接合された湾曲部５０を有していて、これらが断面形状として閉じたループを構成している。湾曲部５０は、ゆるいカーブを描く大曲率の第１湾曲部４４と、これよりきついカーブを描く小曲率の第２湾曲部４６からなる。
【０００３】
従来のかかるシール部材をドア枠などに取り付けるため、シール部材４０の取り付け部の外面には両面テープ２０が貼り付けられている。シール部材をドア枠などに取り付ける際は、両面テープ２０の表面のカバーテープ（図示省略）を取り去り、接着剤が塗布されている面を露出させ、ドア枠などに押圧して取り付ける。
【先行技術文献】
【特許文献】
【０００４】
【特許文献１】実用新案登録第３００９４８２号
【発明の概要】
【発明が解決しようとする課題】
【０００５】
しかし、両面テープの接着剤は、経年劣化したり、ドア枠の材質によっては、接着力が不十分であり、シール部材がドア枠などから剥がれ落ちてしまうこともあり得る。シール部材のかかる剥がれ落ちを防止するためには、シール部材をドア枠などに取り付ける際に、釘、ネジ、ボルト、リベットなどでシール部材を固定することが考えられる。しかし、シール部材を取り付けるために、釘、ネジ、ボルト、リベットなどを用いようとしても、シール部材の断面形状がループ状（チューブ状）であるため、シール部材の露出表面側から釘などをドア枠に打ち込むと、シール部材が、釘などのある部分で押圧されてつぶれて穴があくことがあり、その部分での気密性能が低下してしまう。また、釘などを打ち込むためにシール部材の露出表面に小穴を開けることも考えられるが、かかる小穴を開けること自体に時間がかかり、面倒であるし、作業時間が長くなるという問題がある。さらに、かかる小穴をシール部材自体に開けてしまうと、その部分で気密性能が低下してしまうという問題もある。
【０００６】
本発明は、シール部材をドア枠などに取り付ける際に、釘、ネジ、ボルト、リベットなどで容易に取り付けることができ、かつ気密性能を低下させることのないシール部材を提供することを目的とする。また本発明はかかるシール部材を有するドア並びに、かかるシール部材を有するドア枠を提供することをも目的とする。
【課題を解決するための手段】
【０００７】
上記目標を達成するため、本発明ではドアやドア枠に取り付けられるシール部材の断面形状を、従来のような閉じたループ状とせず、露出面側が弾性変形により容易に開くように端部同士が分離した構造としたものである。
【０００８】
すなわち本発明によれば、ドア及び／又はドア枠に取り付けられるシール部材であって、中空体を形成する弾性体の断面形状が、平坦部と、前記平坦部の一端から伸長する第１湾曲部と、前記平坦部の他端から伸長する第２湾曲部とを有するものとにおいて、
前記平端部以外の箇所に弾性変形することにより、開口部を提供可能とする分離された前記第１湾曲部の端部と前記第２湾曲部の端部が設けられていることを特徴とするドア及び／又はドア枠に取り付けられるシール部材が提供される。
【０００９】
また、前記第１湾曲部の曲率が前記第２湾曲部の曲率より小さいことは本発明の好ましい態様である。
【００１０】
また、前記切り離されている端部同士が所定距離にわたって重なって配されることは、本発明の好ましい態様の１つである。
【００１１】
また、前記第１湾曲部の前記端部が前記第２湾曲部の前記端部の外側に配されていることは本発明の好ましい態様の１つである。
【００１２】
また、前記平坦部の外面に接着材あるいは両面テープが配されることは本発明の好ましい態様の１つである。
【００１３】
また本発明によれば、かかるシール部材が平坦な頭部を有する取付具により取り付けられたドアが提供される。
【００１４】
さらに本発明によれば、かかるシール部材が平坦な頭部を有する取付具により取り付けられたドア枠が提供される。
【発明の効果】
【００１５】
本発明によれば、シール部材の断面形状が従来のような閉じたループ状ではなく、端部同士が分離された状態で配されているので、シール部材をドア枠などに取り付ける際、釘、ネジ、リベット、ボルトなどを用いるとき、分離された両端部を開いて、シール部材の露出面側を弾性変形させ、シール部材の平坦部（取り付け部）の内側を露出させ、この部分に釘、ネジ、リベット、ボルトなどを差し込んで取り付け作業を行うことができる。すなわち、シール部材をドア枠などに取り付けるときは、両面テープによりドア枠に取り付けた状態で、露出している面側にある両端部を開いて、平坦部（取り付け部）の内側を露出させて上記作業を行うのである。したがって、小穴を開けるなどの作業時間が不要であり、短時間でシール部材を強固に取り付けることができ、経年変化などにより剥がれ落ちるおそれがない。
【図面の簡単な説明】
【００１６】
【図１】本発明のシール部材の第１の実施の形態を示す断面図である。
【図２】本発明のシール部材の第２の実施の形態を示す断面図である。
【図３】図１に示すシール部材が取付具よりドア枠に取り付けられる途中の様子を示す断面図である。
【図４】図１の第１の実施の形態のシール部材をドア枠などに取り付ける途中の様子を示す斜視図である。
【図５】従来のシール部材を示す斜視図である。
【図６】従来のシール部材を示す断面図である。
【発明を実施するための形態】
【００１７】
以下、図面を参照して本発明の好ましい実施の形態について説明する。図１は、本発明のシール部材の第１の実施の形態を示す断面図である。図１のシール部材１０は、シリコンゴムなどの弾性材から構成されていて、その断面形状がループ状（チューブ状）であるが、図５、図６の従来のシール部材と異なり、ループが閉じてはいない。具体的には、シール部材１０は、取り付け部となる平坦部１２と、平坦部１２の端部に接合された湾曲部を有していて、これらが断面形状として開閉可能なループを構成している。湾曲部は、ゆるいカーブを描く大曲率の第１湾曲部１４と、これよりきついカーブを描く小曲率の第２湾曲部１６からなる。第１湾曲部１４の端部１４Ａは、第２湾曲部１６の端部１６Ａより内側、すなわち平坦部１２側に配され、両端部が所定距離にわたって重なっている。第２湾曲部１６の端部１６Ａの内側には、突起部１８が設けられ、この突起部１８の先端が第１湾曲部１４の端部１４Ａの近傍の外面に接触している。
【００１８】
また、シール部材１０をドア枠などに取り付けるため、シール部材１０の平坦部１２の外面には両面テープ２０が貼り付けられている。シール部材１０をドア枠などに取り付ける際は、両面テープ２０の表面のカバーテープ（図示省略）を取り去り、接着剤が塗布されている面を露出させ、ドア枠などに押圧して取り付ける。なお、例えば、ドア枠の左右端にシール部材１０を取り付けるときは、ドア枠あるいは、これに当接するドアの縦方向の長さ分だけシール部材１０が伸長し、ドア枠の上部に取り付けるときは、ドア枠あるいは、これに当接するドアの横方向の長さ分だけ伸長するように取り付けられる。
【００１９】
図２は、本発明のシール部材の第２の実施の形態を示す断面図である。図１の第１の
実施の形態と対応する要素は、同一符号で示されている。第２の実施の形態は次の点で、第１の実施の形態と異なる。すなわち、第２の実施の形態では、湾曲部の曲率が第１の実施の形態と少し異なる他、第２湾曲部１６の外面に複数の突起部２２が設けられ、また第２湾曲部１６の端部の内側に２つの突起部１８Ａ、１８Ｂが設けられている点である。
【００２０】
図３は、第１の実施の形態に係るシール部材１０がドア枠３２に取り付けられる途中の様子を示す断面図である。シール部材１０は、平坦部１２の外面に貼り付けられた両面テープ２０でドア枠３２に仮止めされた後、取付具である木ねじ３０により強固にドア枠３２に固定されている。なお、ドア枠３２の材質などに応じて、取付具として、釘、ブラインドリベット、ボルトなどを使用することもできる。この木ねじ３０は、頭部が平坦であり、シール部材１０がドアとドア枠の間などに挟まれて、押圧された際、頭部が平坦であることにより、これに当接する第２湾曲部１６に損傷を与えにくくしている。したがって、釘、木ねじ、ボルトなどの場合も、頭部が平坦なものを用いることが好ましい。
【００２１】
図４は、図３と同様にシール部材１０がドア枠３２に取り付けられる途中の様子を示す斜視図である。すなわち、シール部材１０が両面テープ２０でドア枠３２に仮止めされた後、木ねじ３０を電動ドライバ（図示省略）などで回転させて、その先端がドア枠３２の内部に挿入されるようにしている様子が示されている。なお釘の場合は、ハンマー（図示省略）などで打ち込み、ブラインドリベットの場合は、所定の工具（図示省略）などで打ち込むこととなる。このように、取付具を適切な工具により容易に取り付けることを可能とするために、第２湾曲部１６の一部を作業員が手などで開いた状態とされる。第２湾曲部１６は弾性変形し、手などで開かれている間は、平坦部１２の内面が露出する。この状態で木ねじ３０などの取付具を取付、取り付けや打ち込みが終了すると、作業員は手を第２湾曲部１６から離すことにより、第２湾曲部１６は、再び、元の形状に戻り、第２湾曲部の端部１６Ａは、第１湾曲部１４の端部１４Ａの上に重なる。
【００２２】
このようにして、本発明にかかるシール部材１０は、従来のように両面テープあるいは接着剤のみではなく、木ねじ、ボルト、リベットなどの取付具によりドア枠などに強固に固定することができるので、経年変化などにより両面テープなどによる接着力が減少しても、シール部材１０を強固にドア枠などに固定し続けることが可能である。また、第１湾曲部１４の端部１４Ａと第２湾曲部の端部１６Ａが分離していても、シール部材１０がドアとドア枠の間に挟まれた状態では、上記端部１４Ａ、１６Ａ同士が密着しているので、シール部材１０の内部空間中の空気は直ちに外部に放出されることはなく、弾性体としてのシーリング性能を十分に発揮することができる。特に、上記第１の実施の形態と第２の実施の形態で説明したように、両端部１４Ａ、１６Ａ同士が所定距離にわたって重なっていると、内部空間の空気が外部に放出されにくく、従来の閉ループ形状のシール部材と同様に機能するものである。
【産業上の利用可能性】
【００２３】
本発明のシール部材は、上述のように第１湾曲部１４の端部１４Ａと第２湾曲部の端部１６Ａが分離しているので、シール部材１０をドア枠３２などに取り付ける際、第２湾曲部１６を手で弾性変形させて、平坦部１２の内面を露出させることができるので、リベット、木ねじ、ボルトなどの取付具により、シール部材をドア枠３２などに強固に取り付けることが可能となり、よって、ドアの気密性が必要な、遮煙ドア、防火ドア、防音ドア、クリーンルームドアなどに適用可能であり、劇場、映画館、各種式場、ホテル宴会室、ホテル客室、病院、その他の商業施設ビル、オフィスビル、マンション、公共施設、学校、一般店舗、一般住宅などにおける開き戸や引き戸に適用可能であり、よって、これらに関する建材開発・製造業、建築業などの諸産業において有用である。  
【符号の説明】
【００２４】
１０  シール部材
１２、４２  平坦部
１４  第１湾曲部
１４Ａ  第１湾曲部の端部
１６  第２湾曲部
１６Ａ  第２湾曲部の端部
１８、１８Ａ、１８Ｂ、２２  突起部
２０  両面テープ
３０  木ねじ
３２  ドア枠
４０  従来の閉ループ型シール部材
４４  第１湾曲部
４６  第２湾曲部
５０  湾曲部
【図１】
2014152479.tif 000003
【図２】
2014152479.tif 000004
【図３】
2014152479.tif 000005
【図４】
2014152479.tif 000006
【図５】
2014152479.tif 000007
【図６】
2014152479.tif 000008